(57)【要約】  本出願は、ネットワーク切換方法及び装置を開示する。当該方法において、ＵＥは、事前設定の非３ＧＰＰネットワーク性能パラメータ切換閾値を取得し、当該ＵＥが非３ＧＰＰネットワークに位置する場合、ネットワーク性能パラメータを取得し、前記ＵＥがネットワーク性能パラメータが事前設定のネットワーク性能パラメータ切換閾値に達したと判断すれば、前記非３ＧＰＰネットワークから３ＧＰＰネットワークへ切り換える。本発明の技術案を採用すれば、モニタリングする非３ＧＰＰネットワークのネットワーク性能パラメータを、事前設定の非３ＧＰＰネットワーク性能パラメータ切換閾値と比較し、比較結果に基づいて、即ち、ユーザー設備に利用される非３ＧＰＰネットワークに接続するサビースを、非３ＧＰＰネットワークから３ＧＰＰネットワークへ切り換える。これにより、非３ＧＰＰネットワーク通信質の低下によるユーザー設備が受話できない問題を防止できユーザー設備の通信質を効果的に向上する。
2016508681.tif 000002
【特許請求の範囲】
【請求項１】
ネットワーク切換方法であって、
ユーザー設備が、事前設定の非３ＧＰＰネットワーク性能パラメータ切換閾値を取得するステップと、
前記ユーザー設備が、非３ＧＰＰネットワークに位置する場合、ネットワーク性能パラメータを取得するステップと、
前記ユーザー設備が、前記ネットワーク性能パラメータが前記事前設定の非３ＧＰＰネットワーク性能パラメータ切換閾値に達した場合、前記非３ＧＰＰネットワークから３ＧＰＰネットワークへ切り換えるステップとを備えることを特徴とするネットワーク切換方法。
【請求項２】
前記事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項１に記載のネットワーク切換方法。
【請求項３】
前記ユーザー設備が、事前設定の非３ＧＰＰネットワーク性能パラメータ切換閾値を取得することは、以下のようであり、
ユーザー設備は、基地局から送信した事前設定の非３ＧＰＰネットワーク性能パラメータ切換閾値を取得し、
または、ユーザー設備は、自身の事前設定の非３ＧＰＰネットワーク性能パラメータ切換閾値を取得することを特徴とする請求項２に記載のネットワーク切換方法。
【請求項４】
前記ユーザー設備が非３ＧＰＰネットワークに位置することは、以下のようであり、
前記ユーザー設備が利用する全部のサビースは、前記非３ＧＰＰネットワークに接続し、
または、
前記ユーザー設備が利用する一部のサビースは、前記非３ＧＰＰネットワークに接続することを特徴とする請求項１、請求項２、または請求項３のいずれに記載のネットワーク切換方法。
【請求項５】
前記ユーザー設備が、前記ネットワーク性能パラメータが前記事前設定の非３ＧＰＰネットワーク性能パラメータ切換閾値に達した場合、前記非３ＧＰＰネットワークから３ＧＰＰネットワークへ切り換えることは、以下のようであり、
前記ネットワーク性能パラメータがネットワーク負荷である場合、前記ユーザー設備が前記ネットワーク負荷が前記事前設定のネットワーク負荷閾値に達したと判断すれば、前記ユーザー設備が利用する非３ＧＰＰネットワークに接続するサビースを、非３ＧＰＰネットワークから３ＧＰＰネットワークへ切り換え、
または、前記ネットワーク性能パラメータがサビースを取得しなかったタイミングである場合、もし前記ユーザー設備が、前記サビースを取得しなかったタイミングが前記事前設定のサビースを取得しなかったタイミング閾値に達したと判断すれば、前記ユーザー設備が利用する非３ＧＰＰネットワークに接続するサビースを、非３ＧＰＰネットワークから３ＧＰＰネットワークへ切り換え
または、前記ネットワーク性能パラメータがチャネル質インデックスである場合、前記ユーザー設備が、前記チャネル質インデックスが前記事前設定のチャネル質インデックスに達したと判断すれば、前記ユーザー設備が利用する非３ＧＰＰネットワークに接続するサビースを、非３ＧＰＰネットワークから３ＧＰＰネットワークへ切り換えることを特徴とする請求項４に記載のネットワーク切換方法。
【請求項６】
前記ユーザー設備に利用される非３ＧＰＰネットワークに接続するサビースを、非３ＧＰＰネットワークから３ＧＰＰネットワークへ切り換えることは、以下のようであり、
前記ユーザー設備の接続層は、当該ユーザー設備の非接続層に、切換通知メセッジを送信し、
前記切換通知メセッジに基づいて、前記ユーザー設備の非接続層は、ネットワーク側に、当該ユーザー設備に利用される非３ＧＰＰネットワークに接続するサビースのルーティングテーブルを修正することを通知し、前記サビースを、非３ＧＰＰネットワークから３ＧＰＰネットワークへ切り換えることを特徴とする請求項５に記載のネットワーク切換方法。
【請求項７】
前記ユーザー設備が、前記ネットワーク性能パラメータが前記事前設定の非３ＧＰＰネットワーク性能パラメータ切換閾値に達した場合、前記非３ＧＰＰネットワークから３ＧＰＰネットワークへ切り換えることは、以下のようであり、
前記ユーザー設備に利用される全部のサビースは、前記非３ＧＰＰネットワークに接続し、且つ、前記ユーザー設備が、前記ネットワーク性能パラメータが前記事前設定の非３ＧＰＰネットワーク性能パラメータ切換閾値に達したと判断すれば、前記全部のサビースを、前記非３ＧＰＰネットワークから３ＧＰＰネットワークへ切り換え、
当前記ユーザー設備が利用する一部のサビースは、前記非３ＧＰＰネットワークに接続し、且つ、前記ユーザー設備が、前記ネットワーク性能パラメータが前記事前設定の非３ＧＰＰネットワーク性能パラメータ切換閾値に達したと判断すれば、前記一部のサビースを、前記非３ＧＰＰネットワークから３ＧＰＰネットワークへ切り換えることを特徴とする請求項４に記載のネットワーク切換方法。
【請求項８】
前記ユーザー設備に利用される一部のサビースを、非３ＧＰＰネットワークから３ＧＰＰネットワークへ切り換えた後に、
もし前記ユーザー設備に利用される前記３ＧＰＰネットワークに接続した一部のサビースがもう終了したであれば、接続ネットワークネットワーク発見及び選択機能（ＡＮＤＳＦ）ポリシーに基づいて、前記ユーザー設備に利用される後続サビースを、３ＧＰＰネットワークまたは非３ＧＰＰネットワークに接続し、
または、もし前記ユーザー設備に利用される前記３ＧＰＰネットワークに接続した一部のサビースがまだ終了していなければ、非３ＧＰＰネットワークに対応するネットワーク性能パラメータを取得し、前記ネットワーク性能パラメータが前記事前設定の非３ＧＰＰネットワーク性能パラメータ切換閾値に達していないと判断すれば、前記ユーザー設備に利用される一部のサビースを、３ＧＰＰネットワークから非３ＧＰＰネットワークへ切り換えことを特徴とする請求項７に記載のネットワーク切換方法。
【請求項９】
ネットワーク切換方法であって、
事前設定の非３ＧＰＰネットワーク性能パラメータ切換閾値を取得するステップと、
ユーザー設備に事前設定の非３ＧＰＰネットワーク性能パラメータ切換閾値を送信するステップとを備え、
前記事前設定の非３ＧＰＰネットワーク性能パラメータ切換閾値は、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば前記非３ＧＰＰネットワークから３ＧＰＰネットワークへ切り換えるように前記ユーザー設備に指示することを特徴とするネットワーク切換方法。
【請求項１０】
前記事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項９に記載のネットワーク切換方法。
【請求項１１】
ネットワーク切換装置であって、
事前設定の非３ＧＰＰネットワーク性能パラメータ切換閾値を取得する第１取得ユニットと、
本装置が非３ＧＰＰネットワークに位置する場合、ネットワーク性能パラメータを取得する第２取得ユニットと、
前記ネットワーク性能パラメータが前記事前設定の非３ＧＰＰネットワーク性能パラメータ切換閾値に達したと判断すれば、前記非３ＧＰＰネットワークから３ＧＰＰネットワークへ切り換える切換ユニットとを備えることを特徴とするネットワーク切換装置。
【請求項１２】
前記第１取得ユニットが取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項１１に記載のネットワーク切換装置。
【請求項１３】
前記第２取得ユニットは、
基地局から送信した事前設定の非３ＧＰＰネットワーク性能パラメータ切換閾値を取得し、
または、
自身の事前設定の非３ＧＰＰネットワーク性能パラメータ切換閾値を取得することを特徴とする請求項１２に記載のネットワーク切換装置。
【請求項１４】
前記装置が非３ＧＰＰネットワークに位置することは、以下のようであり、
前記装置に利用される全部のサビースを前記非３ＧＰＰネットワークに接続し、
または、
前記装置に利用される一部のサビースを前記非３ＧＰＰネットワークに接続することを特徴とする請求項１１、請求項１２、または請求項１３のいずれに記載のネットワーク切換装置。
【請求項１５】
前記切換ユニットは、
前記ネットワーク性能パラメータがネットワーク負荷である場合、前記ネットワーク負荷が前記事前設定のネットワーク負荷閾値に達したと判断すれば、本装置に利用される接続非３ＧＰＰネットワークのサビースを、非３ＧＰＰネットワークから３ＧＰＰネットワークへ切り換え、
または、
前記ネットワーク性能パラメータがサビースを取得しなかったタイミングである場合、前記サビースを取得しなかったタイミングが前記事前設定のサビースを取得しなかったタイミング閾値に達したと判断すれば、本装置に利用される接続非３ＧＰＰネットワークのサビースを、非３ＧＰＰネットワークから３ＧＰＰネットワークへ切り換え、
または、
前記ネットワーク性能パラメータがチャネル質インデックスである場合、前記チャネル質インデックスが前記事前設定のチャネル質インデックスに達したと判断すれば、本装置に利用される接続非３ＧＰＰネットワークのサビースを、非３ＧＰＰネットワークから３ＧＰＰネットワークへ切り換えることを特徴とする請求項１４に記載のネットワーク切換装置。
【請求項１６】
前記切換ユニットは、
非接続層へ切換通知メセッジを送信するように本装置の接続層に指示し、
前記切換通知メセッジに基づいて、本装置の非接続層がネットワークに前記本装置に利用される接続非３ＧＰＰネットワークのサビースのルーティングテーブルを修正することを通知し、前記サビースを、非３ＧＰＰネットワークから３ＧＰＰネットワークへ切り換えることを特徴とする請求項１５に記載のネットワーク切換装置。
【請求項１７】
前記切換ユニットは、
本装置に利用される全部のサビースを前記非３ＧＰＰネットワークに接続し，且つ前記ネットワーク性能パラメータが前記事前設定の非３ＧＰＰネットワーク性能パラメータ切換閾値に達したと判断すれば、前記全部のサビースを、前記非３ＧＰＰネットワークから３ＧＰＰネットワークへ切り換え、
前記本装置に利用される一部のサビースを前記非３ＧＰＰネットワークに接続し，且つ前記ネットワーク性能パラメータが前記事前設定の非３ＧＰＰネットワーク性能パラメータ切換閾値に達したと判断すれば、前記一部のサビースを、前記非３ＧＰＰネットワークから３ＧＰＰネットワークへ切り換えることを特徴とする請求項１４に記載のネットワーク切換装置。
【請求項１８】
前記切換ユニットは、
本装置に利用される前記３ＧＰＰネットワークに接続した一部のサビースが終了したであれば、接続ネットワークネットワーク発見及び選択機能（ＡＮＤＳＦ）ポリシーに基づいて、前記本装置に利用される、対応の後続サビースを、３ＧＰＰネットワークまたは非３ＧＰＰネットワークに接続し、
または、
もし本装置に利用される前記３ＧＰＰネットワークに接続した一部のサビースがまだ終了していなければ、非３ＧＰＰネットワークに対応するネットワーク性能パラメータを取得し、前記ネットワーク性能パラメータが前記事前設定の非３ＧＰＰネットワーク性能パラメータ切換閾値に達していないと判断すれば、前記本装置に利用される一部のサビースを、３ＧＰＰネットワークから非３ＧＰＰネットワークへ切り換えることを特徴とする請求項１７に記載のネットワーク切換装置。
【請求項１９】
ネットワーク切換装置であって、
事前設定の非３ＧＰＰネットワーク性能パラメータ切換閾値を取得する取得ユニットと、
ユーザー設備に事前設定の非３ＧＰＰネットワーク性能パラメータ切換閾値を送信し、前記事前設定の非３ＧＰＰネットワーク性能パラメータ切換閾値が、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば前記非３ＧＰＰネットワークから３ＧＰＰネットワークへ切り換えるように前記ユーザー設備に指示する送信ユニットとを備えることを特徴とするネットワーク切換装置。
【請求項２０】
前記取得ユニットが取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項１９に記載のネットワーク切換装置。
【請求項２１】
ユーザー設備であって、
前記ユーザー設備は、送受信機と、当該送受信機に接続する少なくとも１つのプロセッサとを備え、
前記プロセッサは、事前設定の非３ＧＰＰネットワーク性能パラメータ切換閾値を取得し、前記ユーザー設備が非３ＧＰＰネットワークに位置する場合、ネットワーク性能パラメータを取得し、前記ネットワーク性能パラメータが前記事前設定の非３ＧＰＰネットワーク性能パラメータ切換閾値に達したと判断すれば、前記非３ＧＰＰネットワークから３ＧＰＰネットワークへ切り換えることを特徴とするユーザー設備。
【請求項２２】
前記プロセッサが取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項２１に記載のユーザー設備。
【請求項２３】
前記プロセッサは、前記送受信機を介して、基地局から送信した事前設定の非３ＧＰＰネットワーク性能パラメータ切換閾値を取得し、または、自身の事前設定の非３ＧＰＰネットワーク性能パラメータ切換閾値を取得することを特徴とする請求項２２に記載のユーザー設備。
【請求項２４】
前記プロセッサは、
前記ネットワーク性能パラメータがネットワーク負荷である場合、前記ネットワーク負荷が前記事前設定のネットワーク負荷閾値に達したと判断すれば、前記ユーザー設備が利用する非３ＧＰＰネットワークに接続するサビースを、非３ＧＰＰネットワークから３ＧＰＰネットワークへ切り換え、
または、前記ネットワーク性能パラメータがサビースを取得しなかったタイミングである場合、前記サビースを取得しなかったタイミングが前記事前設定のサビースを取得しなかったタイミング閾値に達したと判断すれば、前記ユーザー設備が利用する非３ＧＰＰネットワークに接続するサビースを、非３ＧＰＰネットワークから３ＧＰＰネットワークへ切り換え、
または、前記ネットワーク性能パラメータがチャネル質インデックスである場合、前記チャネル質インデックスが前記事前設定のチャネル質インデックスに達したと判断すれば、前記ユーザー設備が利用する非３ＧＰＰネットワークに接続するサビースを、非３ＧＰＰネットワークから３ＧＰＰネットワークへ切り換えることを特徴とする請求項２２に記載のユーザー設備。
【請求項２５】
前記プロセッサは、
前記ユーザー設備の接続層が非接続層に切換通知メセッジを送信するように指示し、前記切換通知メセッジに基づいて、前記ユーザー設備の非接続層がネットワークに前記本装置に利用される接続非３ＧＰＰネットワークのサビースのルーティングテーブルを修正することを通知し、前記サビースを、非３ＧＰＰネットワークから３ＧＰＰネットワークへ切り換えることを特徴とする請求項２４に記載のユーザー設備。
【請求項２６】
前記プロセッサは、
前記ユーザー設備に利用される全部のサビースは、前記非３ＧＰＰネットワークに接続し、且つ前記ネットワーク性能パラメータが前記事前設定の非３ＧＰＰネットワーク性能パラメータ切換閾値に達したと判断すれば、前記全部のサビースを、前記非３ＧＰＰネットワークから３ＧＰＰネットワークへ切り換え、当前記ユーザー設備が利用する一部のサビースが、前記非３ＧＰＰネットワークに接続し、且つ前記ネットワーク性能パラメータが前記事前設定の非３ＧＰＰネットワーク性能パラメータ切換閾値に達したと判断すれば、前記一部のサビースを、前記非３ＧＰＰネットワークから３ＧＰＰネットワークへ切り換えることを特徴とする請求項２３に記載のユーザー設備。
【請求項２７】
前記プロセッサは、
もし前記ユーザー設備に利用される前記３ＧＰＰネットワークに接続した一部のサビースがもう終了したであれば、接続ネットワークネットワーク発見及び選択機能（ＡＮＤＳＦ）ポリシーに基づいて、前記ユーザー設備に利用される、対応の後続サビースを、３ＧＰＰネットワークまたは非３ＧＰＰネットワークに接続し、または、もし前記ユーザー設備に利用される前記３ＧＰＰネットワークに接続した一部のサビースがまだ終了していなければ、非３ＧＰＰネットワークに対応するネットワーク性能パラメータを取得し、，前記ネットワーク性能パラメータが前記事前設定の非３ＧＰＰネットワーク性能パラメータ切換閾値に達していないと判断すれば、前記ユーザー設備に利用される一部のサビースを、３ＧＰＰネットワークから非３ＧＰＰネットワークへ切り換えることを特徴とする請求項２６に記載のユーザー設備。
【請求項２８】
基地局であって、
前記基地局は、送受信機と、前記送受信機に接続する少なくとも１つのプロセッサとを備え、
前記プロセッサは、事前設定の非３ＧＰＰネットワーク性能パラメータ切換閾値を取得し、
前記送受信機は、ユーザー設備に事前設定の非３ＧＰＰネットワーク性能パラメータ切換閾値を送信し、
前記事前設定の非３ＧＰＰネットワーク性能パラメータ切換閾値は、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば前記非３ＧＰＰネットワークから３ＧＰＰネットワークへ切り換えるように前記ユーザー設備に指示することを特徴とする基地局。
【請求項２９】
前記プロセッサが取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項２８に記載の基地局。
【発明の詳細な説明】
【技術分野】
【０００１】
本発明は、通信技術分野に関し、特にネットワークへの接続切換方法及び装置に関する。
【背景技術】
【０００２】
本出願は、２０１３年１月２４日に中国特許局に提出し、出願番号が２０１３１００２７２６３．７であり、発明名称が「ネットワークへの接続切換方法及び装置」との中国特許出願を基礎とする優先権を主張し、その開示の総てをここに取り込む。
【０００３】
現在、ユーザーからの通信サビースに対する要求の急速増大に応じるために、多様なタイプの無線通信技術及び当該無線通信技術を採用する関連のネットワークが現れてきた。例えば、ワイド・カバレッジができる２G/３G/４G移動通信技術及びネットワークと、以及ホットスポット・カバレッジができるワイヤレス・フィディリティー（ｗｉｒｅｌｅｓｓｆｉｄｅｌｉｔｙ，ｗｉｆｉ）技術と、ワイヤレスローカルエリア接続（ＷｉｒｅｌｅｓｓＬｏｃａｌ Ａｒｅａ Ｎｅｔｗｏｒｋ，ＷＬＡＮ）ネットワークなどがある。多様なネットワークに広く適用するため、異なる無線通信ネットワークが共存する場合がある。例えば、２Ｇ/３Ｇ/４Ｇネットワーク及びＷＬＡＮが共存する。多様なネットワークが共存する場合、ユーザー設備（Ｕｓｅｒ Ｅｑｕｉｐｍｅｎｔ，ＵＥ）は、よりよいサビースの求め及び自身電力の節約の目的から、上記多様なネットワークからを適切に選択する必要がある。現在、移動体通信ネットワーク技術において、ＵＥが２Ｇ/３Ｇ/４ＧネットワークからＷＬＡＮネットワークへ切り替える技術があり、当該技術を介して、ＷＬＡＮネットワークを利用して、データのトラフィックを搬送するようにして、ＵＥがサビース提供されるようになる。
【０００４】
進化したパケットシステム（Ｅｖｏｌｖｅｄ Ｐａｃｋｅｔ Ｓｙｓｔｅｍ，ＥＰＳ）は、多様な接続技術及び多様な接続間の移動性（mobility）をサポートするシステムである。マルチ接続の場合、ＵＥは、複数のすりーじーぴーぴー（３ｒｄ Ｇｅｎｅｒａｔｉｏｎ Ｐａｒｔｎｅｒｓｈｉｐ Ｐｒｏｊｅｃｔ，３ＧＰＰ）及び/または非３ＧＰＰ接続ネットワークの共同カバレッジを受ける可能性がある。これらの接続ネットワークは、異なる事業者に属する異なる接続技術を利用するが、または、異なるコア網の接続に応用される可能性もある。
【０００５】
例えば、従来技術において、ＵＭＴＳ（Ｕｎｉｖｅｒｓａｌ Ｍｏbｉｌｅ ＴｅｌｅｃｏｍｍｕｎｉｃａｔｉｏｎｓＳｙｓｔｅｍ）/ＬＴＥ（Ｌｏｎｇ Ｔｅｒｍ Ｅｖｏｌｕｔｉｏｎ）及びＷＬＡＮネットワークが共存するシナリオは図１に示すようである。ＵＭＴＳ/ＬＴＥの接続制御ネットワークノード（例えば、ＵＭＴＳのＮｏｄｅ Ｂ、ＬＴＥのｅＮＢ）のカバレッジ範囲内で、複数のＷＬＡＮの接続点（ＡｃｃｅｓｓＰｏｉｎｔ，ＡＰ）があり、接続点のカバレッジ範囲は、基地局より狭い。
【０００６】
上記シナリオにおいて、現在、ＵＭＴＳ/ＬＴＥ及びＷＬＡＮと相互運用するネットワークアーキテクチャは、図２に示すように、当該アーキテクチャは、ＰＤＮ（Ｐａｃｋｅｔ  Ｄａｔａ  Ｎｅｔｗｏｒｋ，ＰＤＮ）Ｇａｔｅｗａｙ（ゲートウェー）及びＵＥ間のＳ２ｃインタフェースを介して、相互運用を実施する。ここで、ＰＤＮ Ｇａｔｅｗａｙ及びＷＬＡＮのＡＰは、インターネット（Ｉｎｔｅｒｎｅｔ）中のサーバと情報を交換することができる。
【０００７】
ネットワークシナリオ及びアーキテクチャに基づいて、現在は、ネットワーク選択メカニズムは、接続ネットワークネットワーク発見及び選択機能（ＡｃｃｅｓｓＮｅｔｗｏｒｋ Ｄｉｓｃｏｖｅｒｙ ａｎｄ Ｓｅｌｅｃｔｉｏｎ Ｆｕｎｃｔｉｏｎ，ＡＮＤＳＦ）ポリシーに従って実施される。具体的には、ＡＮＤＳＦとＵＥ間の通信のアーキテクチャは、図３に示すように、ＵＥとＡＮＤＳＦは、Ｓ１４インタフェースを介して信号を交換し、当該インタフェースは、インターネットプロトコル（Ｉｎｔｅｒｎｅｔ Ｐｒｏｔｏｃｏｌ，ＩＰ）に基づいてインタフェースである。ＵＥとＡＮＤＳＦ間の通信は、Ｐｕｌｌと、Ｐｕｓｈとの２つモードを有する。前者の場合、ＵＥが自発的にＡＮＤＳＦにリクウェストを送信し、後者の場合、ＡＮＤＳＦが自発的に情報を送信する。ＡＮＤＳＦポリシーは、相対的に静的なものである。
【０００８】
従来技術において、ＵＥがＡＮＤＳＦポリシーに従って、ネットワークネットワーク発見及び選択と関連する情報提供するには、以下の３つのタイプがある。
【０００９】
タイプ１：システム間の移動性ポリシー（Ｉｎｔｅｒ-Ｓｙｓｔｅｍ Ｍｏbｉｌｉｔｙ Ｐｏｌｉｃｙ，ＩＳＭＰ）。
【００１０】
ＩＳＭＰは、一連の、事業者により定義下規格及び選好情報であり、当該ポリシーは、システム間の移動の可否を定義し、ＥＰC（Ｅｖｏｌｖｅｄ ｐａｃｋｅｔ ｃｏｒｅ，ＥＰC）に接続するには、最適な接続技術タイプであり、異なる接続技術に対応する異なる優先レベル等の情報である。ＩＳＭＰは、ＵＥに事前に設定することができるし、ＵＥがリクウェストする際に送信することもできるし、あるトリガー条件でＡＮＤＳＦよりＵＥに送信することもできる。例えば、ＡＮＤＳＦから発送するＷＬＡＮの優先レベルがＬＴＥのポリシーより高いことで、二者のカバレッジが共存する場合、ＵＥは、ＷＬＡＮシステム接続を選択することができる。
【００１１】
タイプ２：接続ネットワークネットワーク発見情報（ＡｃｃｅｓｓＮｅｔｗｏｒｋ Ｄｉｓｃｏｖｅｒｙ Ｉｎｆｏｒｍａｔｉｏｎ，ＡＮＤＩ）。
【００１２】
ＡＮＤＳＦは、ＵＥに、付近で利用でき、リクウェストする接続タイプと相応しい接続ネットワークリスト及び関連パラメータを提供することができる。例えば、接続技術（如，ＷＬＡＮ，ＷｉＭＡX（Ｗｏｒｌｄｗｉｄｅ Ｉｎｔｅｒｏｐｅｒａbｉｌｉｔｙ ｆｏｒ Ｍｉｃｒｏｗａｖｅ Ａｃｃｅｓｓ）等）、無線接続ネットワーク識別子、キャリア周波数等。
【００１３】
タイプ３：システム間ルーティングポリシー（Ｉｎｔｅｒ-Ｓｙｓｔｅｍ Ｒｏｕｔｉｎｇ Ｐｏｌｉｃｙ，ＩＳＲＰ）。
【００１４】
ＩＳＲＰは、システム間ルーティングに所要する情報を含む。複数の無線接続インタフェースを有するＵＥの場合、例えば、ＩＰフロー移動性（ＩＰ Ｆｌｏｗ Ｍｏbｉｌｉｔｙ，ＩＦOＭ）またはマルチ接続ＰＤＮ接続（Ｍｕｌｔｉ ＡｃｃｅｓｓＰＤＮ Cｏｎｎｅｃｔｉｖｉｔｙ，ＭＡＰCOＮ）をサポートするＵＥの場合、これらの情報は、以下のａ)、b)を決めることに用いられる。
【００１５】
ａ) 特定ルーティング条件を満足する場合、どのような利用可能な接続ネットワークでデータを送信するのか。
【００１６】
b)  特定ＩＰデータフロー及び/または特定接続点名称（ＡｃｃｅｓｓＰｏｉｎｔ Ｎａｍｅ，ＡＰＮ）の場合、ある接続ネットワークは、いつ利用禁止されるか。
【００１７】
従来のプロトコルはつぎのように規定する。ＡＮＤＳＦは、事業者要求及びローミングプロトコルにより、ＵＥに提供したＩＳＭＰ、ＡＮＤＩ及びＩＳＲＰを選択する。ＡＮＤＳＦは、上記３つのポリシーを同時に提供することもできるし、一部のポリシーを提供することもできる。ＡＮＤＳＦは、事業者のネットワーク中の一部データベースと信号交換することができる。例えば、ホーム加入者サーバ（Hｏｍｅ Ｓｕbｓｃｒｉbｅｒ Ｓｅｒｖｅｒ，HＳＳ）と情報交換して、必要な情報を取得する。
【００１８】
ＵＥが利用可能な優先レベルが従来の接続ネットワークより高い接続ネットワーク情報を受信する場合、もしユーザーが許可すれば、ＵＥは発見及び再選過程を執行して、当該高優先レベルのネットワークに切り替える。当ＵＥが接続ネットワークを自動的に選択する場合、ＩＳＭＰにおいて利用禁止と表記される接続ネットワークによりＥＰCに接続することができない。
【００１９】
ＷＬＡＮシステムは、以下の測定メカニズムを有する。
ＩＥＥＥ ８０２.１１プロトコルによれば、ＷＬＡＮネットワークにおいて利用可能な関連測定は、チャネル利用率（負荷）を測定し、ある時期のアイドル時間でカウントして取得することができるｃｈａｎｎｅｌ ｌｏａｄ（チャネル負荷）と、サンプリングしたＩｄｌｅ（アイドル）チャネルにおけるｎｏｎ-ＩＥＥＥ ８０２.１１ノイズ電力をフィードバックするグラム図であるｎｏｉｓｅ ｈｉｓｔｏｇｒａｍ（ノイズ・ヒストグラム）と、無線特性を測定して、瞬時のリンク質を表すｌｉｎｋ ｍｅａｓｕｒｅｍｅｎｔ（リンク測定）を含む。
【００２０】
現在、異種ネットワーク（ｈｅｔｅｒｏｇｅｎｅｏｕｓ  ｎｅｔｗｏｒｋ）シナリオには、ＵＭＴＳ/ＬＴＥネットワークは、ＷＬＡＮでｏｆｆｌｏａｄ（オフロード）し、シームレスオフロード（ｓｅａｍｌｅｓｓｏｆｆｌｏａｄ）及びノン・シームレスオフロード（ｎｏｎ-ｓｅａｍｌｅｓｓｏｆｆｌｏａｄ）との２つの応用シナリオがあり、図４及び図５に示すようである。ここで、シームレスオフロードは、ＷＬＡＮ及び３ＧＰＰコア網（Cｏｒｅ Ｎｅｔｗｏｒｋ，CＮ）の間に接続され、無線インターフェースでオフロードされた後に、サビースが依然に３ＧＰＰ（ＵＭＴＳ/ＬＴＥが含まれる）のコア網に接続することを指す。これに対し、ノン・シームレスオフロードは、ＷＬＡＮ及び３ＧＰＰ CＮの間に接続されていなく、無線インターフェースでオフロードされた後に、３ＧＰＰ CＮを介しなく、サビースが直接にＩｎｔｅｒｎｅｔへ接続することを指す。
【００２１】
上記ＷＬＡＮオフロードは、ＵＥが利用する一部のサビースの移転であり、ＵＥが利用する全部のサビースの移転であってもよい。もし一部のサビースの移転であれば、ＵＥは、ＵＭＴＳ/ＬＴＥネットワーク及びＷＬＡＮネットワークに接続し、もし全部のサビースの移転であれば、移転後に、ＵＥは、ＷＬＡＮネットワークのみに接続する。
【発明の概要】
【発明が解決しようとする課題】
【００２２】
従来技術には、３ＧＰＰネットワークから非３ＧＰＰネットワークへの切換のみが規定されるが、非３ＧＰＰネットワークから３ＧＰＰネットワークへの切換は、規定されていない。また、由于ＵＥのネットワーク選択は、静的なＡＮＤＳＦポリシーにより実現するため、ＵＥが非３ＧＰＰネットワークを選択後に、即ち、当該ネットワークによりデータサビースを搬送する場合、当該ネットワークが提供できるサビース質が低下しても、ＵＥが非３ＧＰＰネットワークによりデータサビースを搬送するため、ＵＥ通信質の低下ないし通信すらできない問題が起きてしまう。
【００２３】
本発明に係る実施例は、ネットワーク切換方法及び装置を提供し、従来技術の、ＵＥが非３ＧＰＰネットワークから３ＧＰＰネットワークへ切換しないため、ＵＥ通信質の低下ないし通信すらできない問題を解決する。
【課題を解決するための手段】
【００２４】
本発明に係るネットワーク切換方法は、
ユーザー設備が、事前設定の非３ＧＰＰネットワーク性能パラメータ切換閾値を取得するステップと、
前記ユーザー設備が非３ＧＰＰネットワークに位置する場合、ネットワーク性能パラメータを取得するステップと、
前記ユーザー設備が、前記ネットワーク性能パラメータが前記事前設定の非３ＧＰＰネットワーク性能パラメータ切換閾値に達した場合、前記非３ＧＰＰネットワークから３ＧＰＰネットワークへ切り換えるステップとを備える。
【００２５】
実施の場合、前記事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含む。
【００２６】
実施の場合、前記ユーザー設備が、事前設定の非３ＧＰＰネットワーク性能パラメータ切換閾値を取得することは、以下のようである。
ユーザー設備は、基地局から送信した事前設定の非３ＧＰＰネットワーク性能パラメータ切換閾値を取得する。
または、ユーザー設備は、自身の事前設定の非３ＧＰＰネットワーク性能パラメータ切換閾値を取得する。
【００２７】
上記いずれの実施例に基づいて、前記ユーザー設備が非３ＧＰＰネットワークに位置することは、以下のようである。
前記ユーザー設備が利用する全部のサビースは、前記非３ＧＰＰネットワークに接続する。
または、前記ユーザー設備が利用する一部のサビースは、前記非３ＧＰＰネットワークに接続する。
【００２８】
前記実施例に基づいて、前記ユーザー設備が、前記ネットワーク性能パラメータが前記事前設定の非３ＧＰＰネットワーク性能パラメータ切換閾値に達した場合、前記非３ＧＰＰネットワークから３ＧＰＰネットワークへ切り換えることは、以下のようである。
前記ネットワーク性能パラメータがネットワーク負荷である場合、前記ユーザー設備が前記ネットワーク負荷が前記事前設定のネットワーク負荷閾値に達したと判断すれば、前記ユーザー設備が利用する非３ＧＰＰネットワークに接続するサビースを、非３ＧＰＰネットワークから３ＧＰＰネットワークへ切り換え、
または、前記ネットワーク性能パラメータがサビースを取得しなかったタイミングである場合、もし前記ユーザー設備が、前記サビースを取得しなかったタイミングが前記事前設定のサビースを取得しなかったタイミング閾値に達したと判断すれば、前記ユーザー設備が利用する非３ＧＰＰネットワークに接続するサビースを、非３ＧＰＰネットワークから３ＧＰＰネットワークへ切り換え、
または、前記ネットワーク性能パラメータがチャネル質インデックスである場合、前記ユーザー設備が、前記チャネル質インデックスが前記事前設定のチャネル質インデックスに達したと判断すれば、前記ユーザー設備が利用する非３ＧＰＰネットワークに接続するサビースを、非３ＧＰＰネットワークから３ＧＰＰネットワークへ切り換える。
【００２９】
実施の場合、前記ユーザー設備に利用される非３ＧＰＰネットワークに接続するサビースを、非３ＧＰＰネットワークから３ＧＰＰネットワークへ切り換えることは、以下のようであり、
前記ユーザー設備の接続層は、当該ユーザー設備の非接続層に、切換通知メセッジを送信し、
前記切換通知メセッジに基づいて、前記ユーザー設備の非接続層は、ネットワーク側に、当該ユーザー設備に利用される非３ＧＰＰネットワークに接続するサビースのルーティングテーブルを修正することを通知し、前記サビースを、非３ＧＰＰネットワークから３ＧＰＰネットワークへ切り換える。
【００３０】
実施の場合、前記ユーザー設備が、前記ネットワーク性能パラメータが前記事前設定の非３ＧＰＰネットワーク性能パラメータ切換閾値に達した場合、前記非３ＧＰＰネットワークから３ＧＰＰネットワークへ切り換えることは、以下のようである。
【００３１】
前記ユーザー設備に利用される全部のサビースが、前記非３ＧＰＰネットワークに接続し、且つ、前記ユーザー設備が、前記ネットワーク性能パラメータが前記事前設定の非３ＧＰＰネットワーク性能パラメータ切換閾値に達したと判断すれば、前記全部のサビースを、前記非３ＧＰＰネットワークから３ＧＰＰネットワークへ切り換える。
【００３２】
当記ユーザー設備が利用する一部のサビースは、前記非３ＧＰＰネットワークに接続する，且つ、前記ユーザー設備が、前記ネットワーク性能パラメータが前記事前設定の非３ＧＰＰネットワーク性能パラメータ切換閾値に達したと判断すれば、前記部分サビースを、前記非３ＧＰＰネットワークから３ＧＰＰネットワークへ切り換える。
【００３３】
また、前記ユーザー設備に利用される一部のサビースを、非３ＧＰＰネットワークから３ＧＰＰネットワークへ切り換えた後、
もし前記ユーザー設備に利用される前記３ＧＰＰネットワークに接続した一部のサビースがもう終了したであれば、接続ネットワークネットワーク発見及び選択機能（ＡＮＤＳＦ）ポリシーに基づいて、前記ユーザー設備に利用される後続サビースを、３ＧＰＰネットワークまたは非３ＧＰＰネットワークに接続し、
または、もし前記ユーザー設備に利用される前記３ＧＰＰネットワークに接続した一部のサビースがまだ終了していなければ、非３ＧＰＰネットワークに対応するネットワーク性能パラメータを取得し、前記ネットワーク性能パラメータが前記事前設定の非３ＧＰＰネットワーク性能パラメータ切換閾値に達していないと判断すれば、前記ユーザー設備に利用される一部のサビースを、３ＧＰＰネットワークから非３ＧＰＰネットワークへ切り換える。
【００３４】
本発明に係るネットワーク切換方法は、事前設定の非３ＧＰＰネットワーク性能パラメータ切換閾値を取得するステップと、ユーザー設備に事前設定の非３ＧＰＰネットワーク性能パラメータ切換閾値を送信するステップとを備え、前記事前設定の非３ＧＰＰネットワーク性能パラメータ切換閾値は、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば前記非３ＧＰＰネットワークから３ＧＰＰネットワークへ切り換えるように前記ユーザー設備に指示する。
【００３５】
実施の場合、前記事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含む。
【００３６】
本発明に係るネットワーク切換装置は、
事前設定の非３ＧＰＰネットワーク性能パラメータ切換閾値を取得する第１取得ユニットと、
本装置が非３ＧＰＰネットワークに位置する場合、ネットワーク性能パラメータを取得する第２取得ユニットと、
前記ネットワーク性能パラメータが前記事前設定の非３ＧＰＰネットワーク性能パラメータ切換閾値に達したと判断すれば、前記非３ＧＰＰネットワークから３ＧＰＰネットワークへ切り換える切換ユニット。
【００３７】
実施の場合、前記第１取得ユニットが取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含む。
【００３８】
実施の場合、前記第２取得ユニットは、基地局から送信した事前設定の非３ＧＰＰネットワーク性能パラメータ切換閾値を取得するか、または、自身の事前設定の非３ＧＰＰネットワーク性能パラメータ切換閾値を取得する。
【００３９】
上記いずれの実施例に基づいて、前記装置が非３ＧＰＰネットワークに位置することは、前記装置に利用される全部のサビースを前記非３ＧＰＰネットワークに接続し、または、前記装置に利用される一部のサビースを前記非３ＧＰＰネットワークに接続することを指す。
【００４０】
実施の場合、前記切換ユニットは、前記ネットワーク性能パラメータがネットワーク負荷である場合、前記ネットワーク負荷が前記事前設定のネットワーク負荷閾値に達したと判断すれば、本装置に利用される接続非３ＧＰＰネットワークのサビースを、非３ＧＰＰネットワークから３ＧＰＰネットワークへ切り換えるか、または、前記ネットワーク性能パラメータがサビースを取得しなかったタイミングである場合、前記サビースを取得しなかったタイミングが前記事前設定のサビースを取得しなかったタイミング閾値に達したと判断すれば、本装置に利用される接続非３ＧＰＰネットワークのサビースを、非３ＧＰＰネットワークから３ＧＰＰネットワークへ切り換えるか、または、前記ネットワーク性能パラメータがチャネル質インデックスである場合、前記チャネル質インデックスが前記事前設定のチャネル質インデックスに達したと判断すれば、本装置に利用される接続非３ＧＰＰネットワークのサビースを、非３ＧＰＰネットワークから３ＧＰＰネットワークへ切り換える。
【００４１】
実施の場合、前記切換ユニットは、非接続層へ切換通知メセッジを送信するように本装置の接続層に指示し、前記切換通知メセッジに基づいて、本装置の非接続層がネットワークに前記本装置に利用される接続非３ＧＰＰネットワークのサビースのルーティングテーブルを修正することを通知し、前記サビースを、非３ＧＰＰネットワークから３ＧＰＰネットワークへ切り換える。
【００４２】
実施の場合、前記切換ユニットは、本装置に利用される全部のサビースを前記非３ＧＰＰネットワークに接続し，且つ前記ネットワーク性能パラメータが前記事前設定の非３ＧＰＰネットワーク性能パラメータ切換閾値に達したと判断すれば、前記全部のサビースを、前記非３ＧＰＰネットワークから３ＧＰＰネットワークへ切り換え、前記本装置に利用される一部のサビースを前記非３ＧＰＰネットワークに接続し，且つ前記ネットワーク性能パラメータが前記事前設定の非３ＧＰＰネットワーク性能パラメータ切換閾値に達したと判断すれば、前記部分サビースを、前記非３ＧＰＰネットワークから３ＧＰＰネットワークへ切り換える。
【００４３】
実施の場合、前記切換ユニットは、本装置に利用される前記３ＧＰＰネットワークに接続した一部のサビースが終了したであれば、接続ネットワークネットワーク発見及び選択機能（ＡＮＤＳＦ）ポリシーに基づいて、前記本装置に利用される、対応の後続サビースを、３ＧＰＰネットワークまたは非３ＧＰＰネットワークに接続し、または、もし本装置に利用される前記３ＧＰＰネットワークに接続した一部のサビースがまだ終了していなければ、非３ＧＰＰネットワークに対応するネットワーク性能パラメータを取得し、前記ネットワーク性能パラメータが前記事前設定の非３ＧＰＰネットワーク性能パラメータ切換閾値に達していないと判断すれば、前記本装置に利用される一部のサビースを、３ＧＰＰネットワークから非３ＧＰＰネットワークへ切り換え。
【００４４】
本発明に係るネットワーク切換装置は、
事前設定の非３ＧＰＰネットワーク性能パラメータ切換閾値を取得する取得ユニットと、
ユーザー設備に事前設定の非３ＧＰＰネットワーク性能パラメータ切換閾値を送信し、前記事前設定の非３ＧＰＰネットワーク性能パラメータ切換閾値は、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば前記非３ＧＰＰネットワークから３ＧＰＰネットワークへ切り換えるように前記ユーザー設備に指示する値である送信ユニットとを備える。
【００４５】
実施の場合、前記事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含む。
【００４６】
本発明に係るユーザー設備は、送受信機と、当該送受信機に接続する少なくとも１つのプロセッサとを備え、
前記プロセッサは、事前設定の非３ＧＰＰネットワーク性能パラメータ切換閾値を取得し、前記ユーザー設備が非３ＧＰＰネットワークに位置する場合、ネットワーク性能パラメータを取得し、前記ネットワーク性能パラメータが前記事前設定の非３ＧＰＰネットワーク性能パラメータ切換閾値に達したと判断すれば、前記非３ＧＰＰネットワークから３ＧＰＰネットワークへ切り換える。
【００４７】
実施の場合、前記プロセッサが取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含む。
【００４８】
実施の場合、前記プロセッサは、前記送受信機を介して、基地局から送信した事前設定の非３ＧＰＰネットワーク性能パラメータ切換閾値を取得し、または、自身の事前設定の非３ＧＰＰネットワーク性能パラメータ切換閾値を取得する。
【００４９】
実施の場合、前記プロセッサは、前記ネットワーク性能パラメータがネットワーク負荷である場合、前記ネットワーク負荷が前記事前設定のネットワーク負荷閾値に達したと判断すれば、前記ユーザー設備が利用する非３ＧＰＰネットワークに接続するサビースを、非３ＧＰＰネットワークから３ＧＰＰネットワークへ切り換え、または、前記ネットワーク性能パラメータがサビースを取得しなかったタイミングである場合、前記サビースを取得しなかったタイミングが前記事前設定のサビースを取得しなかったタイミング閾値に達したと判断すれば、前記ユーザー設備が利用する非３ＧＰＰネットワークに接続するサビースを、非３ＧＰＰネットワークから３ＧＰＰネットワークへ切り換え、または、前記ネットワーク性能パラメータがチャネル質インデックスである場合、前記チャネル質インデックスが前記事前設定のチャネル質インデックスに達したと判断すれば、前記ユーザー設備が利用する非３ＧＰＰネットワークに接続するサビースを、非３ＧＰＰネットワークから３ＧＰＰネットワークへ切り換える。
【００５０】
実施の場合、前記プロセッサは、前記ユーザー設備の接続層が非接続層に切換通知メセッジを送信するように指示し、前記切換通知メセッジに基づいて、前記ユーザー設備の非接続層がネットワークに前記本装置に利用される接続非３ＧＰＰネットワークのサビースのルーティングテーブルを修正することを通知し、前記サビースを、非３ＧＰＰネットワークから３ＧＰＰネットワークへ切り換える。
【００５１】
実施の場合、前記プロセッサは、前記ユーザー設備に利用される全部のサビースは、前記非３ＧＰＰネットワークに接続する，且つ前記ネットワーク性能パラメータが前記事前設定の非３ＧＰＰネットワーク性能パラメータ切換閾値に達したと判断すれば、前記全部のサビースを、前記非３ＧＰＰネットワークから３ＧＰＰネットワークへ切り換え、前記ユーザー設備が利用する一部のサビースが、前記非３ＧＰＰネットワークに接続し、且つ前記ネットワーク性能パラメータが前記事前設定の非３ＧＰＰネットワーク性能パラメータ切換閾値に達したと判断すれば、前記一部のサビースを、前記非３ＧＰＰネットワークから３ＧＰＰネットワークへ切り換える。
【００５２】
実施の場合、前記プロセッサは、もし前記ユーザー設備に利用される前記３ＧＰＰネットワークに接続した一部のサビースがもう終了したであれば、接続ネットワークネットワーク発見及び選択機能（ＡＮＤＳＦ）ポリシーに基づいて、前記ユーザー設備に利用される、対応の後続サビースを、３ＧＰＰネットワークまたは非３ＧＰＰネットワークに接続し、または、もし前記ユーザー設備に利用される前記３ＧＰＰネットワークに接続した一部のサビースがまだ終了していなければ、非３ＧＰＰネットワークに対応するネットワーク性能パラメータを取得し、前記ネットワーク性能パラメータが前記事前設定の非３ＧＰＰネットワーク性能パラメータ切換閾値に達していないと判断すれば、前記ユーザー設備に利用される一部のサビースを、３ＧＰＰネットワークから非３ＧＰＰネットワークへ切り換える。
【００５３】
本発明に係る基地局は、送受信機と、前記送受信機に接続する少なくとも１つのプロセッサとを備える。
前記プロセッサは、事前設定の非３ＧＰＰネットワーク性能パラメータ切換閾値を取得する。
前記送受信機は、ユーザー設備に事前設定の非３ＧＰＰネットワーク性能パラメータ切換閾値を送信する。
前記事前設定の非３ＧＰＰネットワーク性能パラメータ切換閾値は、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば、前記非３ＧＰＰネットワークから３ＧＰＰネットワークへ切り換えるように前記ユーザー設備に指示する。
【００５４】
実施の場合、前記プロセッサが取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含む。
【００５５】
本発明に係る実施例によれば、ユーザー設備が、事前設定の非３ＧＰＰネットワーク性能パラメータ切換閾値を取得し、当該ユーザー設備が非３ＧＰＰネットワークに位置する場合、ネットワーク性能パラメータを取得し、前記ユーザー設備が、ネットワーク性能パラメータが前記事前設定のネットワーク性能パラメータ切換閾値に達したと判断すれば、前記非３ＧＰＰネットワークから３ＧＰＰネットワークへ切り換える。本発明の技術案を採用すれば、モニタリングする非３ＧＰＰネットワークのネットワーク性能パラメータを事前設定の非３ＧＰＰネットワーク性能パラメータ切換閾値と比較し、比較結果に基づいて、ユーザー設備に利用される非３ＧＰＰネットワークに接続するサビースを、非３ＧＰＰネットワークから３ＧＰＰネットワークへ切り換えることにより、ユーザー設備の通信質を向上し、非３ＧＰＰネットワーク通信質の低下によるユーザー設備が受話できない問題を防止できる。
【図面の簡単な説明】
【００５６】
【図１】図１は従来技術におけるＵＭＴＳ/ＬＴＥ和ＷＬＡＮネットワーク共存シナリオを示す図である。
【図２】図２は従来技術におけるＵＭＴＳ/ＬＴＥ及びＷＬＡＮの相互運行のネットワークアーキテクチャ示意図である。
【図３】図３は従来技術下ＡＮＤＳＦ及びＵＥ間の通信アーキテクチャを示す図である。
【図４】図４は従来技術下シームレスオフロードを示す図である。
【図５】図５は従来技術下ノン・シームレスオフロードを示す図である。
【図６】図６は本発明に係る実施例のネットワークへの接続切換のフローチャート図である。
【図７】図7は本発明に係る実施例のネットワーク共存シナリオである。
【図８】図８は本発明に係る実施例の応用シナリオ場合のネットワーク切換フローチャート図１である。
【図９】図９は本発明に係る実施例の応用シナリオ場合のネットワーク切換フローチャート図２である。
【図１０】図１０は本発明に係る実施例の応用シナリオ場合のネットワーク切換フローチャート図３である。
【図１１】図１１は本発明に係る実施例の応用シナリオ場合のネットワーク切換フローチャート図４である。
【図１２】図１２は本発明に係る実施例のネットワーク切換装置の構造図である。
【図１３】図１３は本発明に係る実施例のネットワーク切換装置の構造図である。
【図１４】図１４は本発明に係る実施例のユーザー設備を示す図である。
【図１５】図１５は本発明に係る実施例の基地局を示す図である。
【発明を実施するための形態】
【００５７】
ＵＥが非３ＧＰＰネットワークを選択し、即ち当該ネットワークによりデータサビースを伝送する場合、当該ネットワークにより提供下サビース質が低減しても、ＵＥが非３ＧＰＰネットワークによりデータサビースを伝送しなければならないため、ＵＥ通信質の低下、受話さえできない従来の問題点を解決する。
本発明に係る実施例のユーザー設備は、事前設定の非３ＧＰＰネットワーク性能パラメータ切換閾値を取得し、且つ当該ユーザー設備が非３ＧＰＰネットワークに位置する場合、ネットワーク性能パラメータを取得する。前記ユーザー設備が、ネットワーク性能パラメータが前記事前設定のネットワーク性能パラメータ切換閾値に達したと判断すれば、前記非３ＧＰＰネットワークから３ＧＰＰネットワークへ切り換える。本発明の技術案を採用すれば、モニタリングした非３ＧＰＰネットワークのネットワーク性能パラメータを、事前設定の非３ＧＰＰネットワーク性能パラメータ切換閾値と比較し、比較結果に基づいて、ユーザー設備に利用される非３ＧＰＰネットワークに接続するサビースを、非３ＧＰＰネットワークから３ＧＰＰネットワークへ切り換える。これにより、ユーザー設備の通信質を向上し、非３ＧＰＰネットワーク通信質の低下によるユーザー設備が受話できない問題を防止できる。
【００５８】
ノン・シームレスオフロードのシナリオにおいて、搬送するサビースが３ＧＰＰコア網を介しないため、本発明は、シームレスオフロードシナリオにおいて、３ＧＰＰネットワークと非３ＧＰＰネットワーク間の切換のみを考慮する。以下、図面を参照しながら、本発明の好ましい実施方法を詳細に説明する。
【００５９】
図６に示すように、本発明に係る実施例の，ネットワークへの接続切換のフローチャートは、ステップ６００と、ステップ６１０と、ステップ６２０とを備える。
【００６０】
ステップ６００：ＵＥは、事前設定の非３ＧＰＰネットワーク性能パラメータ切換閾値を取得する。
【００６１】
本発明に係る実施例の，前記事前設定の非３ＧＰＰネットワーク性能パラメータ切換閾値は、基地局により事前設定した非３ＧＰＰネットワーク性能パラメータ切換閾値であってもよいし、ＵＥ自身により事前設定した非３ＧＰＰネットワーク性能パラメータ切換閾値であってもよい。また、当該事前設定の非３ＧＰＰネットワーク性能パラメータ切換閾値は、事前設定のネットワーク負荷閾値であってもよいし、事前設定のサビースを取得しなかったタイミング閾値であってもよいし、チャネル質インデックス閾値であってもよい。
【００６２】
前記事前設定の非３ＧＰＰネットワーク性能パラメータ切換閾値が基地局により事前設定された値である場合、基地局は、事前設定の非３ＧＰＰネットワーク性能パラメータ切換閾値を取得した後、当該事前設定の非３ＧＰＰネットワーク性能パラメータ切換閾値をＵＥに送信し、ＵＥは、当該事前設定の非３ＧＰＰネットワーク性能パラメータ切換閾値を取得する。
【００６３】
ステップ６１０：前記ＵＥは、非３ＧＰＰネットワークに位置する場合、ネットワーク性能パラメータを取得する。
【００６４】
本発明に係る実施例のＵＥが非３ＧＰＰネットワークに位置することは、当該ＵＥに利用される全部のサビースを、非３ＧＰＰネットワークに接続するか、または当該ＵＥに利用する一部のサビースを、非３ＧＰＰネットワークに接続することを示す。例えば、現在、ＵＥが、ＡＮＤＳＦのＩＳＭＰポリシーに基づいてネットワークを選択する場合、当該ＵＥに利用される全部のサビースは、１種のみのネットワークに接続されることができる。例えば、ＵＥに利用される全部のサビースを３ＧＰＰネットワークに接続する。現在、ＵＥがＡＮＤＳＦのＩＳＲＰポリシーに基づいてネットワークを選択する場合、当該ＵＥに利用されるサビースを、２種のネットワークに接続する。例えば、ＵＥに利用されるサビース１を、３ＧＰＰネットワークに接続し、ＵＥに利用されるサビース２を、ＷＬＡＮネットワークに接続する。
【００６５】
事前設定の非３ＧＰＰネットワーク性能パラメータ切換閾値に応じて、ＵＥが取得したネットワーク性能パラメータは、ネットワーク負荷であることができるし、サビースを取得しなかったタイミングであることもできるし、チャネル質インデックスであることができる。
【００６６】
ステップ６２０：当該ＵＥが前記ネットワーク性能パラメータが事前設定の非３ＧＰＰネットワーク性能パラメータ切換閾値に達したと判断すれば、非３ＧＰＰネットワークから３ＧＰＰネットワークへ切り換える。
【００６７】
当該ＵＥが前記ネットワーク性能パラメータが事前設定の非３ＧＰＰネットワーク性能パラメータ切換閾値に達したと判断すれば、ＵＥの接続層から非接続層へ切換通知メセッジを送信し、当該切換通知メセッジには、当該ＵＥ非３ＧＰＰネットワークから３ＧＰＰネットワークへの切り換え指示が含まれる。前記ＵＥの非接続層は、切換通知メセッジに基づいて、ネットワーク側に、当該ＵＥに利用される接続非３ＧＰＰネットワークのサビースのルーティングテーブルを修正することを通知し、ＵＥに利用される接続非３ＧＰＰネットワークのサビースを、非３ＧＰＰネットワークから３ＧＰＰネットワークへ切り換える。本発明に係る実施例のＵＥは、ネットワーク側により、対応の接続非３ＧＰＰネットワークのサビースのルーティングテーブルを修正して、ネットワーク切換を行う。これにより、ＵＥに利用される現在サビースを中止しないままで、中非３ＧＰＰネットワークから３ＧＰＰネットワークへの切換を実現する。
【００６８】
本発明に係る実施例のＵＥがネットワーク性能パラメータに基づいてネットワークへの接続切換を行うことは、以下で説明する。
【００６９】
前記ネットワーク性能パラメータがネットワーク負荷である場合、もしＵＥが自身取得したネットワーク負荷が事前設定のネットワーク負荷閾値に達したと判断すれば、即ち、ネットワーク負荷が事前設定のネットワーク負荷閾値より大きければ、当該ＵＥに利用される接続非３ＧＰＰネットワークのサビースを、非３ＧＰＰネットワークから３ＧＰＰネットワークへ切り換える。前記ネットワーク負荷は、非３ＧＰＰネットワークから送信したＭＡCフレームに含む情報に基づいて取得することができる。
【００７０】
前記ネットワーク性能パラメータがサビースを取得しなかったタイミングである場合、もし、ＵＥが自身取得したサビースを取得しなかったタイミングが事前設定のサビースを取得しなかったタイミング閾値に達したと判断すれば、即ち、サビースを取得しなかったタイミングが事前設定のサビースを取得しなかったタイミング閾値[サビース質（Qｕａｌｉｔｙ ｏｆ Ｓｅｒｖｉｃｅ；QｏＳ）を確保できない]より大きければ、当該ＵＥに利用される接続非３ＧＰＰネットワークのサビースを、非３ＧＰＰネットワークから３ＧＰＰネットワークへ切り換える。
【００７１】
前記ネットワーク性能パラメータがチャネル質インデックスである場合、もしＵＥが自身取得したチャネル質インデックスが事前設定のチャネル質インデックスに達したと判断すれば、即ち、チャネル質インデックスが事前設定のチャネル質インデックス（この際に無線リンクへの接続失敗が起こっていない）より小さければ、当該ＵＥに利用される接続非３ＧＰＰネットワークのサビースを、非３ＧＰＰネットワークから３ＧＰＰネットワークへ切り換える。チャネル質インデックスっをネットワーク性能パラメータとすることにより、非３ＧＰＰネットワークチャネル質インデックスの継続低下による接続不可を防止することができる。
【００７２】
ＵＥが異なるポリシーに基づいてネットワークを選択する場合、当該ＵＥに利用されるサビース接続ポリシーが異なるため、異なるサビース接続ポリシーに対し、ＵＥのネットワーク切換方法が異なる。以下で説明する。
【００７３】
ＵＥに利用される全部のサビースが非３ＧＰＰネットワークに接続され、且つ当該ＵＥが自身取得したネットワーク性能パラメータが事前設定の非３ＧＰＰネットワーク性能パラメータ切換閾値に達したと判断すれば、ＵＥに利用される全部のサビースを、非３ＧＰＰネットワークから３ＧＰＰネットワークへ切り換える。
【００７４】
ＵＥに利用する一部のサビースが非３ＧＰＰネットワークに接続去れ、且つ、当該ＵＥが自身取得したネットワーク性能パラメータが事前設定の非３ＧＰＰネットワーク性能パラメータ切換閾値に達したと判断すれば、前記ＵＥに利用する一部のサビースを、非３ＧＰＰネットワークから３ＧＰＰネットワークへ切り換える。例えば、ＵＥに利用されるサビース１接続３ＧＰＰネットワーク，ＵＥに利用されるサビース２接続ＷＬＡＮネットワーク。当該ＵＥが自身取得したネットワーク性能パラメータが事前設定の非３ＧＰＰネットワーク性能パラメータ切換閾値に達したと判断すれば、前記ＵＥに利用されるサビース２を、ＷＬＡＮネットワークから３ＧＰＰネットワークへ切り換える。
【００７５】
ＵＥがＡＮＤＳＦのＩＳＲＰポリシーに基づいてネットワークを選択することに対し、当該ＵＥに利用される３ＧＰＰネットワークに接続した一部のサビースを、非３ＧＰＰネットワークから３ＧＰＰネットワークへ切り換えた後、もし当該ＵＥに利用される３ＧＰＰネットワークに接続した一部のサビースが終了したであれば、ＡＮＤＳＦポリシーの指示に基づいて、当該ＵＥに利用される後続サビースを、３ＧＰＰネットワークまたは非３ＧＰＰネットワークに接続する。もし前記ＵＥに利用される３ＧＰＰネットワークに接続した一部のサビースがまだ終了していなければ、ＵＥ内の情報交換ができる２つの独立するモジュールを利用して、非３ＧＰＰネットワークに対応するネットワーク性能パラメータを取得する。前記ネットワーク性能パラメータが事前設定の非３ＧＰＰネットワーク性能パラメータ切換閾値に達していないと判断すれば、ＵＥに利用する一部のサビースを、３ＧＰＰネットワークから非３ＧＰＰネットワークへ切り換える。本発明に係る実施例には、ＵＥ内に３ＧＰＰモジュールと非３ＧＰＰモジュールとが含まれるため、前記２つのモジュールは、相互に独立する２つのモジュールである、同時に動作することもできるし、独立して動作することもできる。２つのモジュール間には、情報交換ができる。よって、ＵＥが３ＧＰＰネットワークに位置する場合、自身の非３ＧＰＰモジュールを介して、非３ＧＰＰネットワーク性能パラメータを引き続き取得することができ、ＵＥが非３ＧＰＰネットワーク性能パラメータに対して即時にモニタリングすることが簡単になり、また、ＵＥは、当該ネットワーク性能パラメータに基づいてネットワーク切換を行うかを決める。
【００７６】
以下、応用シナリオを参照しながら、説明する。図7に示すように、ＵＥが、基地局とＷＬＡＮネットワークの接続点１の共同カバレッジ範囲に位置し、事前設定の非３ＧＰＰネットワーク性能パラメータ切換閾値が基地局（ＵＭＴＳシステムにはＮｏｄｅＢであり、ＬＴＥシステムにはｅＮＢである）であるとの構成の例を挙げて、ネットワークへの接続切換過程を詳細に説明する。
【００７７】
実施例１
図８に示すように、ＵＥが、現在ＡＮＤＳＦのＩＳＭＰポリシーに基づいてネットワークを選択し、且つネットワーク性能パラメータがネットワーク負荷である場合、ネットワークへの接続切換のフローチャートは、ステップ８００と、ステップ８１０と、ステップ８２０とを備える。
【００７８】
ステップ８００：基地局は、事前設定のネットワーク負荷閾値を、ＵＥに送信する。
【００７９】
本発明に係る実施例において、ネットワーク性能パラメータがネットワーク負荷である場合、事前設定の非３ＧＰＰネットワーク性能パラメータ切換閾値は、事前設定のネットワーク負荷閾値である。
【００８０】
ステップ８１０：ＵＥがＷＬＡＮネットワークに位置する場合、ＷＬＡＮネットワークに対応するネットワーク負荷を取得する。
【００８１】
本発明に係る実施例において、現在、ＵＥがＡＮＤＳＦのＩＳＭＰポリシーに基づいてネットワークを選択するため、ＵＥがＷＬＡＮネットワークに位置し、当該ＵＥに利用される全部のサビースをＷＬＡＮネットワークに接続することを示す。もし、現在、もし、現在、Ｕが基地局と通信すれば、即ち、当該ＵＥに利用される全部のサビースを、３ＧＰＰネットワークに接続し、当該ＵＥが接続点１を検出した後、ＩＳＭＰポリシーに基づいて、即ち、基地局との接続を中止し、ＵＥと接続点１の接続を確立し、即ち、当該ＵＥに利用される全部のサビースを、ＷＬＡＮネットワークに接続する。ＵＥと接続点１の接続が確立された後、接続点１のネットワーク負荷をリアルタイムにモニタリングする。ＵＥは、接続点１から送信したＭＡCフレームに含む情報に基づいて、ネットワーク負荷を取得する。
【００８２】
ステップ８２０：もしＵＥが前記ネットワーク負荷が事前設定のネットワーク負荷閾値に達したと判断すれば、当該ＵＥに利用されるＷＬＡＮネットワークに接続する全部のサビースを、ＷＬＡＮネットワークから３ＧＰＰネットワークへ切り換える。
【００８３】
本発明に係る実施例において、当該ＵＥが前記ネットワーク負荷が事前設定のネットワーク負荷閾値に達したと判断すれば、ＵＥの接続層から非接続層へ切換通知メセッジを送信し、当該切換通知メセッジには、当該ＵＥを、ＷＬＡＮネットワークから３ＧＰＰネットワークへに切り換える指示が含まれる。前記ＵＥの非接続層は、切換通知メセッジに基づいて、ネットワークに、当該ＵＥに利用される接続ＷＬＡＮネットワークのサビースのルーティングテーブルを修正することを通知し、ＵＥに利用される全部のサビースを、ＷＬＡＮネットワークから３ＧＰＰネットワークへ切り換える。ＵＥに利用される現在サビースを中止しないままで、非３ＧＰＰネットワークから３ＧＰＰネットワークへの切換を実現する。
【００８４】
実施例２
図９に示すように、現在、ＵＥがＡＮＤＳＦのＩＳＭＰポリシーに基づいて、ネットワークを選択し、且つネットワーク性能パラメータがチャネル質インデックスである場合、ネットワークへの接続切換フローチャートは、ステップ９００と、ステップ９１０と、ステップ９２０とを備える。
【００８５】
ステップ９００：基地局は、事前設定のチャネル質インデックス閾値をＵＥに送信する。
【００８６】
本発明に係る実施例において、ネットワーク性能パラメータがチャネル質インデックスである場合、事前設定の非３ＧＰＰネットワーク性能パラメータ切換閾値は、事前設定のチャネル質インデックス閾値である。
【００８７】
ステップ９１０：ＵＥがＷＬＡＮネットワークに位置する場合、ＷＬＡＮネットワークに対応するチャネル質インデックスを取得する。
【００８８】
本発明に係る実施例において、現在、ＵＥがＡＮＤＳＦのＩＳＭＰポリシーに基づいてネットワークを選択するため、ＵＥがＷＬＡＮネットワークに位置し、当該ＵＥに利用される全部のサビースをＷＬＡＮネットワークに接続することを示す。もし、現在、Ｕが基地局と通信すれば、即ち、当該ＵＥに利用される全部のサビースを、３ＧＰＰネットワークに接続し、当該ＵＥが接続点１を検出した後、ＩＳＭＰポリシーに基づいて、即ち、基地局との接続を中止し、ＵＥと接続点１の接続を確立し、即ち、当該ＵＥに利用される全部のサビースを、ＷＬＡＮネットワークに接続する。ＵＥと接続点１の接続が確立された後、接続点１のチャネル質インデックスをリアルタイムにモニタリングする。
【００８９】
ステップ９２０：ＵＥが前記チャネル質インデックスが事前設定のチャネル質インデックス閾値に達したと判断すれば、当該ＵＥに利用されるＷＬＡＮネットワークに接続する全部のサビースを、ＷＬＡＮネットワークから３ＧＰＰネットワークへ切り換える。
【００９０】
本発明に係る実施例において、当該ＵＥが前記チャネル質インデックスが事前設定のチャネル質インデックス閾値に達したと判断すれば、ＵＥの接続層から非接続層へ切換通知メセッジを送信し、当該切換通知メセッジには、当該ＵＥを、ＷＬＡＮネットワークから３ＧＰＰネットワークへに切り換える指示が含まれる。前記ＵＥの非接続層は、切換通知メセッジに基づいて、ネットワークに、当該ＵＥに利用される接続ＷＬＡＮネットワークのサビースのルーティングテーブルを修正することを通知し、ＵＥに利用される全部のサビースを、ＷＬＡＮネットワークから３ＧＰＰネットワークへ切り換える。ＵＥに利用される現在サビースを中止しないままで、中非３ＧＰＰネットワークから３ＧＰＰネットワークへの切換を実現する。
【００９１】
実施例３
図１０に示すように、現在、ＵＥがＡＮＤＳＦのＩＳＲＰポリシーに基づいてネットワークを選択し、且つ、ネットワーク性能パラメータがネットワーク負荷である場合、ネットワークへの接続切換フローチャートは、ステップ１０００と、ステップ１０１０と、ステップ１０２０とを備える。
【００９２】
ステップ１０００：基地局は、事前設定のネットワーク負荷閾値を、ＵＥに送信する。
【００９３】
本発明に係る実施例において、ネットワーク性能パラメータがネットワーク負荷である場合、事前設定の非３ＧＰＰネットワーク性能パラメータ切換閾値は、事前設定のネットワーク負荷閾値である。
【００９４】
ステップ１０１０：ＵＥがＷＬＡＮネットワークに位置する場合、ＷＬＡＮネットワークに対応するネットワーク負荷を取得する。
【００９５】
本発明に係る実施例において、現在、ＵＥがＡＮＤＳＦのＩＳＲＰポリシーに基づいてネットワークを選択するため、ＵＥがＷＬＡＮネットワークに位置することは、当該ＵＥに利用する一部のサビースを、ＷＬＡＮネットワークに接続することを示す。もし、現在、Ｕが基地局と通信すれば、基地局と、サビース１及びサビース２との２つのサビースを確立し、即ち、当該ＵＥに利用されるサビース１及びサビース２を３ＧＰＰネットワークに接続し、当該ＵＥが接続点１を検出した後、ＩＳＲＰポリシーに基づいて、即ち、サビース２と基地局の接続を中止し、サビース２と接続点１の接続を確立し、即ち、当該ＵＥに利用されるサビース２をＷＬＡＮネットワークに接続する。ＵＥと接続点１の接続が確立された後、接続点１のネットワーク負荷をリアルタイムにモニタリングする。ＵＥは、接続点１から送信したＭＡCフレームに含む情報に基づいて、ネットワーク負荷を取得する。
【００９６】
ステップ１０２０：もしＵＥが前記ネットワーク負荷が事前設定のネットワーク負荷閾値に達したと判断すれば、当該ＵＥに利用される接続ＷＬＡＮネットワークのサビース２を、ＷＬＡＮネットワークから３ＧＰＰネットワークへ切り換える。
【００９７】
本発明に係る実施例の，当該ＵＥが前記ネットワーク負荷が事前設定のネットワーク負荷閾値に達したと判断する場合、ＵＥの接続層から非接続層へ切換通知メセッジを送信し、当該切換通知メセッジには、当該ＵＥを、ＷＬＡＮネットワークから３ＧＰＰネットワークへに切り換える指示が含まれる。前記ＵＥの非接続層は、切換通知メセッジに基づいて、ネットワークに、当該ＵＥに利用される接続ＷＬＡＮネットワークのサビースのルーティングテーブルを修正することを通知し、ＵＥに利用されるサビース２を、ＷＬＡＮネットワークから３ＧＰＰネットワークへ切り換える。こうすることにより、ＵＥに利用される現在サビース２が中止しないままで、非３ＧＰＰネットワークから３ＧＰＰネットワークへの切換を実現する。
【００９８】
本発明に係る実施例において、当該ＵＥに利用される３ＧＰＰネットワークに接続した一部のサビースを、ＷＬＡＮネットワークから３ＧＰＰネットワークへ切り換えた後に、当該ＵＥに利用される３ＧＰＰネットワークに接続したサビース２が終了したであれば、ＡＮＤＳＦポリシーの指示に基づいて、当該ＵＥに利用される後続サビースを３ＧＰＰネットワークまたはＷＬＡＮネットワークに接続する。もし、前記ＵＥに利用される３ＧＰＰネットワークに接続したサビース２がまだ終了していなければ、ＵＥ内の情報交換ができる２つの独立するモジュールを利用して、ＷＬＡＮネットワークに対応するネットワーク負荷をリアルタイムにモニタリングする。前記ネットワーク負荷が事前設定のネットワーク負荷閾値に達していないと判断すれば、ＵＥに利用されるサビース２を、３ＧＰＰネットワークからＷＬＡＮネットワークへ切り換える。
【００９９】
実施例４
図１１に示すように、現在、ＵＥがＡＮＤＳＦのＩＳＲＰポリシーに基づいてネットワークを選択し、且つ、ネットワーク性能パラメータがチャネル質インデックスである場合、ネットワークへの接続切換フローチャートは、ステップ１１００と、ステップ１１１０と、ステップ１１２０とを備える。
【０１００】
ステップ１１００：基地局は、事前設定のチャネル質インデックス閾値をＵＥに送信する。
【０１０１】
本発明に係る実施例において、ネットワーク性能パラメータがチャネル質インデックスである場合、事前設定の非３ＧＰＰネットワーク性能パラメータ切換閾値は、事前設定のチャネル質インデックス閾値である。
【０１０２】
ステップ１１１０：ＵＥがＷＬＡＮネットワークに位置する場合、ＷＬＡＮネットワークに対応するチャネル質インデックスを取得する。
【０１０３】
本発明に係る実施例において、現在、ＵＥがＡＮＤＳＦのＩＳＲＰポリシーに基づいてネットワークを選択するため、ＵＥがＷＬＡＮネットワークに位置することは、当該ＵＥに利用する一部のサビースを、ＷＬＡＮネットワークに接続することを示す。もし、現在、Ｕが基地局と通信すれば、基地局と、サビース１及びサビース２との２つのサビースを確立し、即ち、当該ＵＥに利用されるサビース１及びサビース２を３ＧＰＰネットワークに接続し、当該ＵＥが接続点１を検出した後、ＩＳＲＰポリシーに基づいて、即ち、サビース２と基地局の接続を中止し、サビース２と接続点１の接続を確立し、即ち、当該ＵＥに利用されるサビース２をＷＬＡＮネットワークに接続する。ＵＥと接続点１の接続が確立された後、接続点１のチャネル質インデックスをリアルタイムにモニタリングする。
【０１０４】
ステップ１１２０：ＵＥが前記チャネル質インデックスが事前設定のチャネル質インデックス閾値に達したと判断すれば、当該ＵＥに利用される接続ＷＬＡＮネットワークのサビース２を、ＷＬＡＮネットワークから３ＧＰＰネットワークへ切り換える。
【０１０５】
本発明に係る実施例において、当該ＵＥが前記チャネル質インデックスが事前設定のチャネル質インデックス閾値に達したと判断すれば、ＵＥの接続層から非接続層へ切換通知メセッジを送信する。当該切換通知メセッジには、当該ＵＥを、ＷＬＡＮネットワークから３ＧＰＰネットワークへに切り換える指示が含まれる；前記ＵＥの非接続層は、切換通知メセッジに基づいて、ネットワーク側に、当該ＵＥに利用されるサビース２のルーティングテーブルを修正することを通知し、ＵＥに利用されるサビース２を、ＷＬＡＮネットワークから３ＧＰＰネットワークへ切り換える。こうすることにより、ＵＥに利用される現在サビース２が中止しないままで、非３ＧＰＰネットワークから３ＧＰＰネットワークへの切換を実現する。
【０１０６】
本発明に係る実施例において、当該ＵＥに利用される３ＧＰＰネットワークに接続した一部のサビースを、ＷＬＡＮネットワークから３ＧＰＰネットワークへ切り換えた後、さらに、当該ＵＥに利用される３ＧＰＰネットワークに接続したサビース２が終了したであれば、ＡＮＤＳＦポリシーの指示に基づいて、当該ＵＥに利用される後続サビースを３ＧＰＰネットワークまたはＷＬＡＮネットワークに接続する。もし、前記ＵＥに利用される３ＧＰＰネットワークに接続したサビース２がまだ終了していなければ、ＵＥ内の情報交換ができる２つの独立するモジュールを利用して、ＷＬＡＮネットワークに対応するチャネル質インデックスを取得する。前記チャネル質インデックスが事前設定のチャネル質インデックスにまだ達していないと判断すれば、ＵＥに利用されるサビース２を、３ＧＰＰネットワークからＷＬＡＮネットワークへ切り換える。
【０１０７】
上記各実施例に基づいて、図１２に示すように、本発明に係る実施例のネットワーク切換装置は、第１取得ユニット１２０と、第２取得ユニット１２１と、切換ユニット１２２とを備える。
【０１０８】
第１取得ユニット１２０は、事前設定の非３ＧＰＰネットワーク性能パラメータ切換閾値を取得する。
【０１０９】
第２取得ユニット１２１は、本装置が非３ＧＰＰネットワークに位置する場合、ネットワーク性能パラメータを取得する。
【０１１０】
切換ユニット１２２は、前記ネットワーク性能パラメータが事前設定の非３ＧＰＰネットワーク性能パラメータ切換閾値に達したと判断すれば、非３ＧＰＰネットワークから３ＧＰＰネットワークへ切り換える。
【０１１１】
上記各実施例に基づいて、図１３に示すように、本発明に係る実施例のネットワーク切換装置は、取得ユニット１３０と、送信ユニット１３１とを備える。
【０１１２】
取得ユニット１３０は、事前設定の非３ＧＰＰネットワーク性能パラメータ切換閾値を取得する。
【０１１３】
送信ユニット１３１は、ユーザー設備に事前設定の非３ＧＰＰネットワーク性能パラメータ切換閾値を送信する。
当該事前設定の非３ＧＰＰネットワーク性能パラメータ切換閾値は、前記ユーザー設備が自身非３ＧＰＰネットワークに位置する場合に取得したネットワーク性能パラメータが事前設定の非３ＧＰＰネットワーク性能パラメータ切換閾値に達したと判断すれば、非３ＧＰＰネットワークから３ＧＰＰネットワークへ切り換えるように前記ユーザー設備に指示する。
【０１１４】
前記第１取得ユニット１２０と、第２取得ユニット１２１と、切換ユニット１２２と、取得ユニット１３１と、送信ユニット１３２との動作は、前の実施例の方法に応じるために、ここで、その以上説明しない。
【０１１５】
以下好ましいハードウェア構造と結合して、本発明に係る実施例のユーザー設備の構造、処理方法を説明する。図１４に示すように、ユーザー設備は、送受信機１４０と、当該送受信機１４０と接続する少なくとも１つのプロセッサ１４１とを備える。 
【０１１６】
プロセッサ１４１は、事前設定の非３ＧＰＰネットワーク性能パラメータ切換閾値を取得し、ユーザー設備が非３ＧＰＰネットワークに位置する場合、ネットワーク性能パラメータを取得し、前記ネットワーク性能パラメータが前記事前設定の非３ＧＰＰネットワーク性能パラメータ切換閾値に達したと判断すれば、前記非３ＧＰＰネットワークから３ＧＰＰネットワークへ切り換える。
【０１１７】
実施の場合、プロセッサ１４１が取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含む。
【０１１８】
実施の場合、プロセッサ１４１は、送受信機１４０を介して、基地局から送信した事前設定の非３ＧＰＰネットワーク性能パラメータ切換閾値を取得し、または、自身の事前設定の非３ＧＰＰネットワーク性能パラメータ切換閾値を取得する。
【０１１９】
実施の場合、ユーザー設備が非３ＧＰＰネットワークに位置することは、前記ユーザー設備が利用する全部のサビースが、前記非３ＧＰＰネットワークに接続するか、または、前記ユーザー設備が利用する一部のサビースが、前記非３ＧＰＰネットワークに接続することを指す。
【０１２０】
実施の場合、プロセッサ１４１は、以下のことに用いられる。
【０１２１】
前記ネットワーク性能パラメータがネットワーク負荷である場合、前記ネットワーク負荷が前記事前設定のネットワーク負荷閾値に達したと判断すれば、前記ユーザー設備が利用する非３ＧＰＰネットワークに接続するサビースを、非３ＧＰＰネットワークから３ＧＰＰネットワークへ切り換えるか、または、前記ネットワーク性能パラメータがサビースを取得しなかったタイミングである場合、前記サビースを取得しなかったタイミングが前記事前設定のサビースを取得しなかったタイミング閾値に達したと判断すれば、前記ユーザー設備が利用する非３ＧＰＰネットワークに接続するサビースを、非３ＧＰＰネットワークから３ＧＰＰネットワークへ切り換えるか、または、前記ネットワーク性能パラメータがチャネル質インデックスである場合、前記チャネル質インデックスが前記事前設定のチャネル質インデックスに達したと判断すれば、前記ユーザー設備が利用する非３ＧＰＰネットワークに接続するサビースを、非３ＧＰＰネットワークから３ＧＰＰネットワークへ切り換える。
【０１２２】
実施の場合、プロセッサ１４１は、以下のことに用いられる。
【０１２３】
前記ユーザー設備の接続層が非接続層に切換通知メセッジを送信するように指示し、前記切換通知メセッジに基づいて、前記ユーザー設備の非接続層がネットワーク側に、前記ユーザー設備に利用される非３ＧＰＰネットワークに接続するサビースのルーティングテーブルを修正することを通知し、前記サビースを、非３ＧＰＰネットワークから３ＧＰＰネットワークへ切り換える。
【０１２４】
実施の場合、プロセッサ１４１は、前記ユーザー設備に利用される全部のサビースが、前記非３ＧＰＰネットワークに接続され，且つ前記ネットワーク性能パラメータが前記事前設定の非３ＧＰＰネットワーク性能パラメータ切換閾値に達したと判断すれば、前記全部のサビースを、前記非３ＧＰＰネットワークから３ＧＰＰネットワークへ切り換え、前記ユーザー設備が利用する一部のサビースが、前記非３ＧＰＰネットワークに接続され，且つ前記ネットワーク性能パラメータが前記事前設定の非３ＧＰＰネットワーク性能パラメータ切換閾値に達したと判断すれば、前記一部のサビースを、前記非３ＧＰＰネットワークから３ＧＰＰネットワークへ切り換える。
【０１２５】
また、プロセッサ１４１は、もし前記ユーザー設備に利用される前記３ＧＰＰネットワークに接続した一部のサビースがもう終了したであれば、ＡＮＤＳＦポリシーに基づいて、前記ユーザー設備に利用される、対応の後続サビースを、３ＧＰＰネットワークまたは非３ＧＰＰネットワークに接続し、または、もし前記ユーザー設備に利用される前記３ＧＰＰネットワークに接続した一部のサビースがまだ終了していなければ、非３ＧＰＰネットワークに対応するネットワーク性能パラメータを取得し、前記ネットワーク性能パラメータが前記事前設定の非３ＧＰＰネットワーク性能パラメータ切換閾値に達していないと判断すれば、前記ユーザー設備に利用される一部のサビースを、３ＧＰＰネットワークから非３ＧＰＰネットワークへ切り換える。
【０１２６】
以下、好ましいハードウェア構造と結合して、本発明に係る実施例の基地局の構造、処理方法を説明する。図１５に示すように、基地局は、送受信機１５０と、当該送受信機１５０に接続する少なくとも１つのプロセッサ１５１とを備える。
【０１２７】
プロセッサ１５１は、事前設定の非３ＧＰＰネットワーク性能パラメータ切換閾値を取得する。
【０１２８】
送受信機１５０は、ユーザー設備に事前設定の非３ＧＰＰネットワーク性能パラメータ切換閾値を送信する。
前記事前設定の非３ＧＰＰネットワーク性能パラメータ切換閾値は、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば前記非３ＧＰＰネットワークから３ＧＰＰネットワークへ切り換えるように前記ユーザー設備に指示する。
【０１２９】
ここで、プロセッサ１５１が取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含む。
【０１３０】
以上のように、本発明に係る実施例のＵＥは、事前設定の非３ＧＰＰネットワーク性能パラメータ切換閾値を取得し、当該ＵＥが非３ＧＰＰネットワークに位置する場合、ネットワーク性能パラメータを取得する。当前記ＵＥがネットワーク性能パラメータが事前設定のネットワーク性能パラメータ切換閾値に達したと判断すれば、前記非３ＧＰＰネットワークから３ＧＰＰネットワークへ切り換える。本発明の技術案を採用すれば、モニタリングする非３ＧＰＰネットワークのネットワーク性能パラメータを、事前設定の非３ＧＰＰネットワーク性能パラメータ切換閾値と比較し、比較結果に基づいて、即ち、ユーザー設備に利用される非３ＧＰＰネットワークに接続するサビースを、非３ＧＰＰネットワークから３ＧＰＰネットワークへ切り換える。これによって、非３ＧＰＰネットワーク通信質の低下によるユーザー設備が受話できない問題を防止でき、ユーザー設備の通信質を効率的に向上する。
【０１３１】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１３２】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１３３】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１３４】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１３５】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１３６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１３７】
１２０  第１取得ユニット
１２１  第２取得ユニット
１２２  切換ユニット
１３０  取得ユニット
１３１  送信ユニット
１４０，１５０  送受信機
１４１，１５１  プロセッサ
【図１】
2016508681.tif 000003
【図２】
2016508681.tif 000004
【図３】
2016508681.tif 000005
【図４】
2016508681.tif 000006
【図５】
2016508681.tif 000007
【図６】
2016508681.tif 000008
【図７】
2016508681.tif 000009
【図８】
2016508681.tif 000010
【図９】
2016508681.tif 000011
【図１０】
2016508681.tif 000012
【図１１】
2016508681.tif 000013
【図１２】
2016508681.tif 000014
【図１３】
2016508681.tif 000015
【図１４】
2016508681.tif 000016
【図１５】
2016508681.tif 000017
【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
ネットワーク切換方法であって、
ユーザー設備が、事前設定の非３ＧＰＰネットワーク性能パラメータ切換閾値を取得するステップと、
前記ユーザー設備が、非３ＧＰＰネットワークに位置する場合、ネットワーク性能パラメータを取得するステップと、
前記ユーザー設備が、前記ネットワーク性能パラメータが前記事前設定の非３ＧＰＰネットワーク性能パラメータ切換閾値に達した場合、前記非３ＧＰＰネットワークから３ＧＰＰネットワークへ切り換えるステップとを備えることを特徴とするネットワーク切換方法。
【請求項２】
前記事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項１に記載のネットワーク切換方法。
【請求項３】
前記ユーザー設備が非３ＧＰＰネットワークに位置することは、以下のようであり、
前記ユーザー設備が利用する全部のサビースは、前記非３ＧＰＰネットワークに接続し、
または、
前記ユーザー設備が利用する一部のサビースは、前記非３ＧＰＰネットワークに接続することを特徴とする請求項１、または請求項２に記載のネットワーク切換方法。
【請求項４】
前記ユーザー設備が、前記ネットワーク性能パラメータが前記事前設定の非３ＧＰＰネットワーク性能パラメータ切換閾値に達した場合、前記非３ＧＰＰネットワークから３ＧＰＰネットワークへ切り換えることは、以下のようであり、
前記ネットワーク性能パラメータがネットワーク負荷である場合、前記ユーザー設備が前記ネットワーク負荷が前記事前設定のネットワーク負荷閾値に達したと判断すれば、前記ユーザー設備が利用する非３ＧＰＰネットワークに接続するサビースを、非３ＧＰＰネットワークから３ＧＰＰネットワークへ切り換え、
または、前記ネットワーク性能パラメータがサビースを取得しなかったタイミングである場合、もし前記ユーザー設備が、前記サビースを取得しなかったタイミングが前記事前設定のサビースを取得しなかったタイミング閾値に達したと判断すれば、前記ユーザー設備が利用する非３ＧＰＰネットワークに接続するサビースを、非３ＧＰＰネットワークから３ＧＰＰネットワークへ切り換え
または、前記ネットワーク性能パラメータがチャネル質インデックスである場合、前記ユーザー設備が、前記チャネル質インデックスが前記事前設定のチャネル質インデックスに達したと判断すれば、前記ユーザー設備が利用する非３ＧＰＰネットワークに接続するサビースを、非３ＧＰＰネットワークから３ＧＰＰネットワークへ切り換えることを特徴とする請求項３に記載のネットワーク切換方法。
【請求項５】
前記ユーザー設備に利用される非３ＧＰＰネットワークに接続するサビースを、非３ＧＰＰネットワークから３ＧＰＰネットワークへ切り換えることは、以下のようであり、
前記ユーザー設備の接続層は、当該ユーザー設備の非接続層に、切換通知メセッジを送信し、
前記切換通知メセッジに基づいて、前記ユーザー設備の非接続層は、ネットワーク側に、当該ユーザー設備に利用される非３ＧＰＰネットワークに接続するサビースのルーティングテーブルを修正することを通知し、前記サビースを、非３ＧＰＰネットワークから３ＧＰＰネットワークへ切り換えることを特徴とする請求項４に記載のネットワーク切換方法。
【請求項６】
前記ユーザー設備が、前記ネットワーク性能パラメータが前記事前設定の非３ＧＰＰネットワーク性能パラメータ切換閾値に達した場合、前記非３ＧＰＰネットワークから３ＧＰＰネットワークへ切り換えることは、以下のようであり、
前記ユーザー設備に利用される全部のサビースは、前記非３ＧＰＰネットワークに接続し、且つ、前記ユーザー設備が、前記ネットワーク性能パラメータが前記事前設定の非３ＧＰＰネットワーク性能パラメータ切換閾値に達したと判断すれば、前記全部のサビースを、前記非３ＧＰＰネットワークから３ＧＰＰネットワークへ切り換え、
当前記ユーザー設備が利用する一部のサビースは、前記非３ＧＰＰネットワークに接続し、且つ、前記ユーザー設備が、前記ネットワーク性能パラメータが前記事前設定の非３ＧＰＰネットワーク性能パラメータ切換閾値に達したと判断すれば、前記一部のサビースを、前記非３ＧＰＰネットワークから３ＧＰＰネットワークへ切り換えることを特徴とする請求項３に記載のネットワーク切換方法。
【請求項７】
前記ユーザー設備に利用される一部のサビースを、非３ＧＰＰネットワークから３ＧＰＰネットワークへ切り換えた後に、
もし前記ユーザー設備に利用される前記３ＧＰＰネットワークに接続した一部のサビースがもう終了したであれば、接続ネットワークネットワーク発見及び選択機能（ＡＮＤＳＦ）ポリシーに基づいて、前記ユーザー設備に利用される後続サビースを、３ＧＰＰネットワークまたは非３ＧＰＰネットワークに接続し、
または、もし前記ユーザー設備に利用される前記３ＧＰＰネットワークに接続した一部のサビースがまだ終了していなければ、非３ＧＰＰネットワークに対応するネットワーク性能パラメータを取得し、前記ネットワーク性能パラメータが前記事前設定の非３ＧＰＰネットワーク性能パラメータ切換閾値に達していないと判断すれば、前記ユーザー設備に利用される一部のサビースを、３ＧＰＰネットワークから非３ＧＰＰネットワークへ切り換えことを特徴とする請求項６に記載のネットワーク切換方法。
【請求項８】
ネットワーク切換方法であって、
事前設定の非３ＧＰＰネットワーク性能パラメータ切換閾値を取得するステップと、
ユーザー設備に事前設定の非３ＧＰＰネットワーク性能パラメータ切換閾値を送信するステップとを備え、
前記事前設定の非３ＧＰＰネットワーク性能パラメータ切換閾値は、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば前記非３ＧＰＰネットワークから３ＧＰＰネットワークへ切り換えるように前記ユーザー設備に指示することを特徴とするネットワーク切換方法。
【請求項９】
前記事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項８に記載のネットワーク切換方法。
【請求項１０】
ネットワーク切換装置であって、
事前設定の非３ＧＰＰネットワーク性能パラメータ切換閾値を取得する第１取得ユニットと、
本装置が非３ＧＰＰネットワークに位置する場合、ネットワーク性能パラメータを取得する第２取得ユニットと、
前記ネットワーク性能パラメータが前記事前設定の非３ＧＰＰネットワーク性能パラメータ切換閾値に達したと判断すれば、前記非３ＧＰＰネットワークから３ＧＰＰネットワークへ切り換える切換ユニットとを備えることを特徴とするネットワーク切換装置。
【請求項１１】
前記第１取得ユニットが取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項１０に記載のネットワーク切換装置。
【請求項１２】
前記装置が非３ＧＰＰネットワークに位置することは、以下のようであり、
前記装置に利用される全部のサビースを前記非３ＧＰＰネットワークに接続し、
または、
前記装置に利用される一部のサビースを前記非３ＧＰＰネットワークに接続することを特徴とする請求項１０、または請求項１１に記載のネットワーク切換装置。
【請求項１３】
前記切換ユニットは、
本装置に利用される全部のサビースを前記非３ＧＰＰネットワークに接続し，且つ前記ネットワーク性能パラメータが前記事前設定の非３ＧＰＰネットワーク性能パラメータ切換閾値に達したと判断すれば、前記全部のサビースを、前記非３ＧＰＰネットワークから３ＧＰＰネットワークへ切り換え、
前記本装置に利用される一部のサビースを前記非３ＧＰＰネットワークに接続し，且つ前記ネットワーク性能パラメータが前記事前設定の非３ＧＰＰネットワーク性能パラメータ切換閾値に達したと判断すれば、前記一部のサビースを、前記非３ＧＰＰネットワークから３ＧＰＰネットワークへ切り換え、
前記切換ユニットは、
本装置に利用される前記３ＧＰＰネットワークに接続した一部のサビースが終了したであれば、接続ネットワークネットワーク発見及び選択機能（ＡＮＤＳＦ）ポリシーに基づいて、前記本装置に利用される、対応の後続サビースを、３ＧＰＰネットワークまたは非３ＧＰＰネットワークに接続し、
または、
もし本装置に利用される前記３ＧＰＰネットワークに接続した一部のサビースがまだ終了していなければ、非３ＧＰＰネットワークに対応するネットワーク性能パラメータを取得し、前記ネットワーク性能パラメータが前記事前設定の非３ＧＰＰネットワーク性能パラメータ切換閾値に達していないと判断すれば、前記本装置に利用される一部のサビースを、３ＧＰＰネットワークから非３ＧＰＰネットワークへ切り換えることを特徴とする請求項１２に記載のネットワーク切換装置。
【請求項１４】
ネットワーク切換装置であって、
事前設定の非３ＧＰＰネットワーク性能パラメータ切換閾値を取得する取得ユニットと、
ユーザー設備に事前設定の非３ＧＰＰネットワーク性能パラメータ切換閾値を送信し、前記事前設定の非３ＧＰＰネットワーク性能パラメータ切換閾値が、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば前記非３ＧＰＰネットワークから３ＧＰＰネットワークへ切り換えるように前記ユーザー設備に指示する送信ユニットとを備えることを特徴とするネットワーク切換装置。
【請求項１５】
前記取得ユニットが取得した事前設定の非３ＧＰＰネットワーク性能パラメータ切換閾値は、事前設定のネットワーク負荷閾値、または事前設定のサビースを取得しなかったタイミング閾値、または事前設定のチャネル質インデックス閾値を含むことを特徴とする請求項１４に記載のネットワーク切換装置。
【請求項１６】
ユーザー設備であって、
前記ユーザー設備は、送受信機と、当該送受信機に接続する少なくとも１つのプロセッサとを備え、
前記プロセッサは、事前設定の非３ＧＰＰネットワーク性能パラメータ切換閾値を取得し、前記ユーザー設備が非３ＧＰＰネットワークに位置する場合、ネットワーク性能パラメータを取得し、前記ネットワーク性能パラメータが前記事前設定の非３ＧＰＰネットワーク性能パラメータ切換閾値に達したと判断すれば、前記非３ＧＰＰネットワークから３ＧＰＰネットワークへ切り換えることを特徴とするユーザー設備。
【請求項１７】
基地局であって、
前記基地局は、送受信機と、前記送受信機に接続する少なくとも１つのプロセッサとを備え、
前記プロセッサは、事前設定の非３ＧＰＰネットワーク性能パラメータ切換閾値を取得し、
前記送受信機は、ユーザー設備に事前設定の非３ＧＰＰネットワーク性能パラメータ切換閾値を送信し、
前記事前設定の非３ＧＰＰネットワーク性能パラメータ切換閾値は、前記ユーザー設備が自身が非３ＧＰＰネットワークに位置する場合取得したネットワーク性能パラメータが前記事前設定の非３ＧＰＰネットワーク性能パラメータ切換閾値に達したと判断すれば前記非３ＧＰＰネットワークから３ＧＰＰネットワークへ切り換えるように前記ユーザー設備に指示することを特徴とする基地局。
【国際調査報告】
2016508681.tif 000018
2016508681.tif 000019
2016508681.tif 000020
2016508681.tif 000021